(57)【要約】  【課題】  緊急時に車両の全乗員の個人情報を第三者が得ることができる個人情報送信システムを提供すること。  【解決手段】  車両の利用者を識別する利用者識別情報を記憶したＩＣカード２と、ＩＣカード２に記憶された利用者識別情報に基づいて外部装置４に個人情報を送信する車載装置３とを備え、  車載装置３は、ＩＣカード２から利用者識別情報を受信する受信手段１１と、利用者識別情報および利用者識別情報に対応した個人情報を記憶する記憶手段１２と、受信手段１１によって受信した利用者識別情報に対応する個人情報を記憶手段１２から取得する個人情報取得手段１３と、車両の緊急時を検知する検知手段１４と、検知手段１４によって緊急時であると検知された場合に個人情報取得手段１３によって取得された個人情報を外部装置に送信する送信手段１５とを備えた個人情報送信システム。【選択図】  図１
2005088853.tif 000002
【特許請求の範囲】
【請求項１】
車両の利用者を識別する利用者識別情報を記憶した記憶媒体と、前記記憶媒体に記憶された利用者識別情報に基づいて外部装置に個人情報を送信する車載装置とを備え、
前記車載装置は、前記記憶媒体から前記利用者識別情報を受信する受信手段と、前記利用者識別情報および前記利用者識別情報に対応した個人情報を記憶する記憶手段と、前記受信手段によって受信した前記利用者識別情報に対応する個人情報を前記記憶手段から取得する個人情報取得手段と、前記車両の緊急時を検知する検知手段と、前記検知手段によって緊急時であると検知された場合に前記個人情報取得手段によって取得された個人情報を前記外部装置に送信する送信手段とを備えたことを特徴とする個人情報送信システム。
【請求項２】
車両の利用者を識別する利用者識別情報を記憶した記憶媒体と、前記記憶媒体に記憶された利用者識別情報を送信する車載装置と、前記車載装置から送信された利用者識別情報を受信して、前記利用者識別情報に対応した利用者の個人情報を取得して通報する外部装置とを備え、
前記車載装置は、前記記憶媒体から前記利用者識別情報を受信する受信手段と、前記車両の緊急時を検知する検知手段と、前記検知手段によって緊急時であると検知された場合に前記利用者識別情報を前記外部装置に送信する送信手段とを有し、
前記外部装置は、前記利用者識別情報および前記利用者識別情報に対応した個人情報を記憶する記憶手段と、前記送信手段によって送信された前記利用者識別情報に対応する個人情報を前記記憶手段から取得する個人情報取得手段と、前記個人情報取得手段によって取得された個人情報を通報する通報手段とを有することを特徴とする個人情報送信システム。
【請求項３】
前記受信手段は、車両の各座席の近傍にそれぞれ設けられたことを特徴とする請求項１または請求項２に記載の個人情報送信システム。
【請求項４】
前記車載装置は、車両の座席近傍に着座の有無を検知する着座検知手段を有し、前記送信手段が前記着座検知手段によって検知された着座の有無を表す着座情報を前記外部装置にさらに送信するようにしたことを特徴とする請求項１から請求項３までの何れかに記載の個人情報送信システム。
【請求項５】
前記車載装置は、車両の座席位置と利用者識別情報との対応を表す座席位置情報を編集させる編集手段を有し、前記送信手段が前記編集手段によって編集された座席位置情報を外部装置に送信するようにしたことを特徴とする請求項１から請求項３までの何れかに記載の個人情報送信システム。
【請求項６】
前記車載装置は、前記受信手段から受信した利用者識別情報を認証する認証手段と、前記認証手段の認証結果に基づいてエンジンの始動を許可する始動許可手段とを有することを特徴とする請求項１から請求項５までの何れかに記載の個人情報送信システム。
【請求項７】
前記記憶媒体が電子運転免許証であること特徴とする請求項１から請求項６までの何れかに記載の個人情報送信システム。
【請求項８】
前記記憶媒体が行政発行のものであることを特徴とする請求項１から請求項６までの何れかに記載の個人情報送信システム。
【請求項９】
車両の利用者を識別する利用者識別情報を記憶した記憶媒体から前記利用者識別情報を受信する受信手段と、前記利用者識別情報および前記利用者識別情報に対応した個人情報を記憶する記憶手段と、前記受信手段によって受信した利用者識別情報に対応する個人情報を前記記憶手段から取得する個人情報取得手段と、前記車両の緊急時を検知する検知手段と、前記検知手段によって緊急時であると検知された場合に前記個人情報取得手段によって取得された個人情報を前記外部装置に送信する送信手段とを備えたことを特徴とする車載装置。
【請求項１０】
前記受信手段は、車両の各座席の近傍にそれぞれ設けられたことを特徴とする請求項９に記載の車載装置。
【請求項１１】
車両の座席近傍に着座の有無を検知する着座検知手段を備え、前記送信手段が前記着座検知手段によって検知された着座の有無を表す着座情報を前記外部装置にさらに送信するようにしたことを特徴とする請求項９または１０に記載の車載装置。
【請求項１２】
車両の座席位置と利用者識別情報との対応を表す座席位置情報を編集させる編集手段を備え、前記送信手段が前記編集手段によって編集された座席位置情報を外部装置に送信するようにしたことを特徴とする請求項９または請求項１０に記載の車載装置。
【請求項１３】
前記受信手段から受信した利用者識別情報を認証する認証手段と、前記認証手段の認証結果に基づいてエンジンの始動を許可する始動許可手段とを備えたことを特徴とする請求項９から請求項１２までの何れかに記載の車載装置。
【請求項１４】
前記記憶媒体が電子運転免許証であること特徴とする請求項９から請求項１３までの何れかに記載の車載装置。
【請求項１５】
前記記憶媒体が行政発行のものであることを特徴とする請求項９から請求項１４までの何れかに記載の車載装置。
【発明の詳細な説明】
【技術分野】
【０００１】
本発明は、車両で使用する電子運転免許証等から個人情報を作成し、その個人情報を緊急時に外部装置に送信する個人情報送信システムに関するものである。
【背景技術】
【０００２】
従来、ＩＣカードなどの記憶媒体を利用する個人情報送信システムとして、図９に示すように、例えば自動車のドアロック機器を制御する個人情報送信システム８０がある。この個人情報送信システム８０は、予めデータが記憶されたＩＣカード８１と、自動車のドアの把手の付近等に設置され、ＩＣカード８１に記憶されたデータを読み取るカードリーダ８２と、自動車の使用を許可する使用許可者のデータが予め記憶された記憶装置８３と、カードリーダ８２から読み取ったデータと記憶装置８３に記憶された使用許可者のデータとを照合して、データが一致した場合にドアロック操作部８４を制御する制御部８５から構成されている。このような従来の個人情報送信システム８０は、カードリーダ８２によってＩＣカード８１から読み取ったデータと、記憶装置８３に記憶された使用許可者のデータとが一致した場合に限り、解錠を行うようになっている（例えば特許文献１参照）。
【特許文献１】特開２００３−１２００９４号公報（第１図）
【発明の開示】
【発明が解決しようとする課題】
【０００３】
しかしながら、従来の個人情報送信システムにおいては、ＩＣカードなどの記憶媒体に記憶されているユーザ情報をドアロックの解錠等に利用するのみであったため、緊急時に車両の全乗員の救急救命の第１情報、例えば年齢、血液型および既住症等の個人情報を車両の全乗員以外の第三者が得ることができないという問題があった。
【０００４】
本発明は、従来の問題を解決するためになされたもので、緊急時に車両の全乗員の個人情報を第三者が得ることができる個人情報送信システムを提供することを目的とする。
【課題を解決するための手段】
【０００５】
本発明の個人情報送信システムは、車両の利用者を識別する利用者識別情報を記憶した記憶媒体と、前記記憶媒体に記憶された利用者識別情報に基づいて外部装置に個人情報を送信する車載装置とを備え、前記車載装置は、前記記憶媒体から前記利用者識別情報を受信する受信手段と、前記利用者識別情報および前記利用者識別情報に対応した個人情報を記憶する記憶手段と、前記受信手段によって受信した前記利用者識別情報に対応する個人情報を前記記憶手段から取得する個人情報取得手段と、前記車両の緊急時を検知する検知手段と、前記検知手段によって緊急時であると検知された場合に前記個人情報取得手段によって取得された個人情報を前記外部装置に送信する送信手段とを備えるよう構成している。
【０００６】
この構成により、ＩＣカードなどの記憶媒体に予め記憶されたユーザ情報の応用範囲を広げ、緊急時に車両の全乗員の個人情報を第三者が得ることができる。
【０００７】
また、本発明の個人情報送信システムは、車両の利用者を識別する利用者識別情報を記憶した記憶媒体と、前記記憶媒体に記憶された利用者識別情報を送信する車載装置と、前記車載装置から送信された利用者識別情報を受信して、前記利用者識別情報に対応した利用者の個人情報を取得して通報する外部装置とを備え、前記車載装置は、前記記憶媒体から前記利用者識別情報を受信する受信手段と、前記車両の緊急時を検知する検知手段と、前記検知手段によって緊急時であると検知された場合に前記利用者識別情報を前記外部装置に送信する送信手段とを有し、前記外部装置は、前記利用者識別情報および前記利用者識別情報に対応した個人情報を記憶する記憶手段と、前記送信手段によって送信された前記利用者識別情報に対応する個人情報を前記記憶手段から取得する個人情報取得手段と、前記個人情報取得手段によって取得された個人情報を通報する通報手段とを有するよう構成している。
【０００８】
この構成により、ＩＣカードなどの記憶媒体に予め記憶されたユーザ情報の応用範囲を広げ、緊急時に車両の全乗員の個人情報を第三者が得ることができる。
【０００９】
また、本発明の個人情報送信システムは、前記受信手段は、車両の各座席の近傍にそれぞれ設けられるよう構成している。
【００１０】
この構成により、受信手段が車両の各座席の近傍に設けられているので、各座席に着座する利用者識別情報を受信することができ、緊急時に車両の全乗員の個人情報を第三者が詳細に得ることができる。
【００１１】
また、本発明の個人情報送信システムは、前記車載装置は、車両の座席近傍に着座の有無を検知する着座検知手段を有し、前記送信手段が前記着座検知手段によって検知された着座の有無を表す着座情報を前記外部装置にさらに送信するよう構成している。
【００１２】
この構成により、車両の座席近傍に着座の有無を検知する着座検知手段が車載装置に設けられているので、着座情報を外部装置に送信することができ、緊急時に車両の全乗員の個人情報を第三者が詳細に得るために役立たせることができる。
【００１３】
また、本発明の個人情報送信システムは、前記車載装置は、車両の座席位置と利用者識別情報との対応を表す座席位置情報を編集させる編集手段を有し、前記送信手段が前記編集手段によって編集された座席位置情報を外部装置に送信するよう構成している。
【００１４】
この構成により、車両の座席位置と利用者識別情報との対応を表す座席位置情報を編集させる編集手段が車載装置に設けられているので、緊急時に車両の全乗員の個人情報を第三者が詳細に得ることができる。
【００１５】
また、本発明の個人情報送信システムは、前記車載装置は、前記受信手段から受信した利用者識別情報を認証する認証手段と、前記認証手段の認証結果に基づいてエンジンの始動を許可する始動許可手段とを有するよう構成している。
【００１６】
この構成により、認証手段の認証結果に基づいて始動許可手段がエンジンの始動を許可するので、エンジン始動時、確実に、運転者並びに他の乗員の情報を外部に送信することができる。
【００１７】
また、本発明の個人情報送信システムは、前記記憶媒体が電子運転免許証で構成している。
【００１８】
この構成により、電子運転免許証から利用者識別情報を受信手段が受信することができ、利用者の利便性が向上することができる。
【００１９】
また、本発明の個人情報送信システムは、前記記憶媒体が行政発行のもので構成している。
【００２０】
この構成により、行政機関によって発行されたＩＣカードなどの記憶媒体から利用者識別情報を受信手段が受信することができ、利用者の利便性が向上することができる。
【００２１】
また、本発明の車載装置は、車両の利用者を識別する利用者識別情報を記憶した記憶媒体から前記利用者識別情報を受信する受信手段と、前記利用者識別情報および前記利用者識別情報に対応した個人情報を記憶する記憶手段と、前記受信手段によって受信した利用者識別情報に対応する個人情報を前記記憶手段から取得する個人情報取得手段と、前記車両の緊急時を検知する検知手段と、前記検知手段によって緊急時であると検知された場合に前記個人情報取得手段によって取得された個人情報を前記外部装置に送信する送信手段とを備えるよう構成している。
【００２２】
この構成により、ＩＣカードなどの記憶媒体に予め記憶されたユーザ情報の応用範囲を広げ、緊急時に車両の全乗員の個人情報を第三者が得ることができる。
【００２３】
また、本発明の車載装置は、前記受信手段は、車両の各座席の近傍にそれぞれ設けられるよう構成している。
【００２４】
この構成により、受信手段が車両の各座席の近傍に設けられているので、各座席に着座する利用者識別情報を受信することができ、緊急時に車両の全乗員の個人情報を第三者が詳細に得ることができる。
【００２５】
また、本発明の車載装置は、車両の座席近傍に着座の有無を検知する着座検知手段を備え、前記送信手段が前記着座検知手段によって検知された着座の有無を表す着座情報を前記外部装置にさらに送信するよう構成している。
【００２６】
この構成により、車両の座席近傍に着座の有無を検知する着座検知手段が設けられているので、着座情報を外部装置に送信することができ、緊急時に車両の全乗員の個人情報を第三者が詳細に得るために役立たせることができる。
【００２７】
また、本発明の車載装置は、車両の座席位置と利用者識別情報との対応を表す座席位置情報を編集させる編集手段を備え、前記送信手段が前記編集手段によって編集された座席位置情報を外部装置に送信するよう構成している。
【００２８】
この構成により、車両の座席位置と利用者識別情報との対応を表す座席位置情報を編集させる編集手段が設けられているので、緊急時に車両の全乗員の個人情報を第三者が詳細に得ることができる。
【００２９】
また、本発明の車載装置は、前記受信手段から受信した利用者識別情報を認証する認証手段と、前記認証手段の認証結果に基づいてエンジンの始動を許可する始動許可手段とを備えるよう構成している。
【００３０】
この構成により、認証手段の認証結果に基づいて始動許可手段がエンジンの始動を許可するので、エンジン始動時、確実に、運転者並びに他の乗員の情報を外部に送信することができる。
【００３１】
また、本発明の車載装置は、前記記憶媒体が電子運転免許証で構成している。
【００３２】
この構成により、電子運転免許証から利用者識別情報を受信手段が受信することができ、利用者の利便性が向上することができる。
【００３３】
また、本発明の車載装置は、前記記憶媒体が行政発行のもので構成している。
【００３４】
この構成により、行政機関によって発行されたＩＣカードなどの記憶媒体から利用者識別情報を受信手段が受信することができ、利用者の利便性が向上することができる。
【発明の効果】
【００３５】
本発明は、記憶媒体に予め記憶されたユーザ情報の応用範囲を広げ、緊急時に車両の全乗員の個人情報を第三者が得ることができる個人情報送信システムを提供することができるものである。
【発明を実施するための最良の形態】
【００３６】
以下、本発明の実施の形態について、図面を参照して説明する。
【００３７】
（第１の実施の形態）
本発明の第１の実施の形態の個人情報送信システムを図１に示す。
【００３８】
図１において、個人情報送信システム１は、車両の利用者を識別する利用者識別情報を記憶した記憶媒体であるＩＣカード２と、ＩＣカード２に記憶された利用者識別情報に基づいて外部装置４に個人情報を送信する車載装置３とを備えている。
【００３９】
ＩＣカード２は、例えば電子運転免許証２ａと、電子運転免許証の他に電子健康保険証、電子住民基本台帳用電子カード等の行政発行の運転者以外のＩＣカード２ｂとを含んでいる。ＩＣカード２は、非接触型ＩＣチップを備え、利用者を識別する利用者識別情報が記憶されている。電子運転免許証２ａおよびＩＣカード２ｂは、受信手段１１によって駆動電力が供給された際に、記憶した利用者識別情報を受信手段１１に向けて無線で送信するようになっている。
【００４０】
車載装置３は、ＩＣカード２から利用者識別情報を受信する受信手段１１と、利用者識別情報および利用者識別情報に対応した個人情報を記憶する記憶手段１２と、受信手段１１によって受信した利用者識別情報に対応する個人情報を記憶手段１２から取得する個人情報取得手段１３と、車両の緊急時を検知する検知手段１４と、検知手段１４によって緊急時であると検知された場合に個人情報取得手段１３によって取得された個人情報を外部装置４に送信する送信手段１５とを備えている。
【００４１】
さらに、車載装置３は、車両の座席近傍に着座の有無を検知する着座検知手段１９を有し、送信手段１５が着座検知手段１９によって検知された着座の有無を表す着座情報を外部装置４に送信するようになっている。
【００４２】
車載装置３は、車両の座席位置と利用者識別情報との対応を表す座席位置情報を編集させる編集手段２０を有し、送信手段１５が編集手段２０によって編集された座席位置情報を外部装置４に送信するようになっている。
【００４３】
車載装置３は、受信手段１１から受信した利用者識別情報を認証する認証手段１６と、認証手段１６の認証結果に基づいてエンジンの始動を許可する始動許可手段１７と、認証手段１６によって正当な利用者でないと認証された場合に報知する報知手段１８とをさらに有している。
【００４４】
受信手段１１は、車両の各座席の近傍にそれぞれ設けられ、運転者のＩＣカード、例えば電子運転免許証から利用者識別情報（ユーザＩＤ）を受信する第１の受信手段１１ａと、運転席以外の各座席の近傍である車両のドア部に設けられ、運転者以外の乗員のＩＣカード２ｂから利用者識別情報を受信する第２の受信手段１１ｂとを有している。なお、図１においては、運転者以外のＩＣカードを受信する受信手段１１として第２の受信手段１１ｂのみ記載されているが、第２の受信手段１１ｂは、複数設けられていてもよく車両の乗員制限人数に合わせて設けるのが好ましい。受信手段１１は、リーダ装置によって構成され、電子運転免許証２ａおよびＩＣカード２ｂに駆動電力を供給するよう電磁波を送信し、送信された電磁波によって駆動された電子運転免許証２ａおよびＩＣカード２ｂからは、利用者識別情報を読み取るようになっている。
【００４５】
記憶手段１２は、不揮発性の記憶媒体によって構成されており、図５に示すように、予め利用者識別情報と、この利用者識別情報に対応する個人情報とが複数記憶されている。記憶手段１２に記憶されている利用者識別情報および個人情報は、車両に搭載されたタッチパネル付の液晶ディスプレイ装置等によって構成された登録削除手段２１を介して登録したり削除したりできるようになっている。ここで、個人情報は、救急救命の第１情報に役立つ情報、例えば氏名、住所、緊急連絡先、血液型、既住症、服薬歴、通院歴、座席位置等を含むよう構成されている。
【００４６】
検知手段１４は、車両の事故等を検知するセンサや車両の乗員の緊急状態を知らせるため緊急ボタンによって構成されている。例えば、検知手段１４がエアバックが作動したことを検知するセンサである場合には、検知手段１４によってエアバックの作動が検知されると、送信手段１５に個人情報および着座情報もしくは座席位置情報を送信するよう送信手段１５にトリガを出力するようになっている。
【００４７】
送信手段１５は、送信データを生成して外部装置４に送信するようになっており、送信データには、着座情報が得られた場合には個人情報および着座情報が含まれ、着座情報と座席位置情報が得られた場合には個人情報および座席位置情報が含まれる。
【００４８】
着座検知手段１９は、各座席の近傍に設けられ、各座席に座る乗員の着座の有無を検知するようになっている。着座検知手段１９から着座の有無を示す着座情報が送信手段１５に入力されるようになっている。
【００４９】
編集手段２０は、車両の座席位置と利用者識別情報との対応を表す座席位置情報を運転者もしくは利用者に編集させるようになっている。すなわち、編集手段２０は、図６に示すように、受信手段１１によって受信した利用者識別情報から対応する利用者の座席位置を特定し、着座検知手段１９によって検知された着座情報を対応させて、受信手段１１から利用者識別情報が受信されていない座席で、着座検知手段１９が着座を検知した座席を特定し、この座席に対応する利用者識別情報を入力させて座席位置情報を編集するようになっている。編集手段２０は、例えば、受信手段１１が受信した特許太郎および特許花子の利用者識別情報から運転席に特許太郎および助手席に特許花子が着座していることを特定し、着座検知手段１９が着座を検知しているが利用者識別情報が受信手段１１によって受信されていない"？"の座席に利用者識別情報を入力させて編集するようになっている。なお、図６に示す"空席"の部分は、着座検知手段１９が検知していない状態であることを示している。
【００５０】
外部装置４は、車載装置３の送信手段１５によって送信されてきた個人情報および着座情報もしくは座席位置情報を受信する個人情報受信手段３１と、個人情報受信手段３１によって受信した個人情報および着座情報もしくは座席位置情報を通報する通報手段３２とを備えている。この外部装置４は、警察、消防等に設置され、車両の緊急時に個人情報を警察、消防等に通報するようになっている。
【００５１】
以上のように構成された個人情報送信システムについて、図２〜図４を用いてその動作を説明する。
【００５２】
まず、図２に示すように、運転席近傍に設けられた第２の受信手段１１ａによって電子運転免許証２ａの利用者識別情報が読み取られたか否かが判断され（Ｓ１）、読み取られた場合には記憶手段１２に記憶された利用者識別情報に基づいて運転者が認証手段１６によって認証され（Ｓ２）、正当な利用者か否かが判断される（Ｓ３）。正当な利用者であると判断された場合には、始動許可手段１７によってエンジンの始動が許容され一方（Ｓ４）、正当な利用者でないと判断された場合には、始動許可手段１７によってエンジンの始動が拒否され（Ｓ５）、報知手段１８によって正当な利用者でない旨の情報が報知される（Ｓ６）。
【００５３】
次に、図３において、座席の近傍に設けられた第２の受信手段１１ｂによってＩＣカード２ｂの利用者識別情報が読み取られ（Ｓ７）、着座検知手段１９によって各座席に着座しているか否かが検知される（Ｓ８）。編集手段２０によって座席位置情報が編集され（Ｓ９）、送信手段１５によって送信する送信データが生成され（Ｓ１０）、この送信データが送信手段１５に記憶される（Ｓ１１）。
【００５４】
次に、検知手段１４によって緊急であるか否かが検知され（Ｓ１２）、緊急であると検知された場合には、送信手段１５によって個人情報および着座情報もしくは座席位置情報が送信データとして外部装置に送信される。
【００５５】
このような本発明の第１の実施の形態の個人情報送信システム１は、ＩＣカードに予め記憶されたユーザ情報の応用範囲を広げ、緊急時に車両の全乗員の個人情報を第三者が得ることができる。
【００５６】
なお、第１の実施の形態の個人情報送信システム１は、車載装置３の記憶手段１２に個人情報を記憶して外部装置４に個人情報を送信しているが、以下に説明する第２の実施の形態の個人情報送信システムのように、車載装置から外部装置に送信する送信データが利用者識別情報および着座情報もしくは座席位置情報であってもよく、個人情報を外部装置のデータベースに一括して管理するようにしてもよい。
【００５７】
また、ＩＣカードに記憶された利用者識別情報によって車両錠の解錠が行われる場合には、エンジン始動に限らず、車両錠の解錠時に利用者識別情報を取得し、そのときに得た利用者識別情報に基づく送信データを送信してもよい。
（第２の実施の形態）
次に、本発明の第２の実施の形態の個人情報送信システムを図７に示す。
【００５８】
図７において、個人情報送信システム４１は、車両の利用者を識別する利用者識別情報を記憶したＩＣカード４２と、ＩＣカード４２に記憶された利用者識別情報を送信する車載装置４３と、車載装置４３から送信された利用者識別情報を受信して、利用者識別情報に対応した利用者の個人情報を取得して通報する外部装置４４とを備えている。
【００５９】
ＩＣカード４２は、例えば電子運転免許証４２ａと、電子運転免許証の他に電子健康保険証、電子住民基本台帳用電子カード等の行政発行の運転者以外のＩＣカード４２ｂとを含んでいる。ＩＣカード４２は、非接触型ＩＣチップを備え、電子運転免許証４２ａの場合には利用者を識別するための利用者識別情報が記憶され、ＩＣカード４２ｂの場合には、利用者を識別する利用者識別情報が記憶されている。電子運転免許証４２ａおよびＩＣカード４２ｂは、受信手段５１によって駆動電力が供給された際に、記憶した利用者識別情報を受信手段５１に向けて無線で送信するようになっている。
【００６０】
車載装置４３は、ＩＣカード４２から利用者識別情報を受信する受信手段５１と、車両の緊急時を検知する検知手段５４と、利用者識別情報を記憶する記憶手段５２と、検知手段５４によって緊急時であると検知された場合に利用者識別情報を外部装置４４に送信する送信手段５５とを有している。
【００６１】
さらに、車載装置４３は、車両の座席近傍に着座の有無を検知する着座検知手段５９を有し、送信手段５５が着座検知手段５９によって検知された着座の有無を表す着座情報を外部装置４４にさらに送信するようになっている。
【００６２】
車載装置４３は、車両の座席位置と利用者識別情報との対応を表す座席位置情報を編集させる編集手段６０を有し、送信手段５５が編集手段６０によって編集された座席位置情報を外部装置４４に送信するようになっている。
【００６３】
車載装置４３は、受信手段５１から受信した利用者識別情報を認証する認証手段５６と、認証手段５６の認証結果に基づいてエンジンの始動を許可する始動許可手段５７と、前記認証手段５６によって正当な利用者でないと認証された場合に報知する報知手段５８とをさらに有している。
【００６４】
受信手段５１は、車両の各座席の近傍にそれぞれ設けられ、運転者のＩＣカード、例えば電子運転免許証から利用者識別情報（ユーザＩＤ）を受信する第１の受信手段５１ａと、運転席以外の各座席の近傍である車両のドア部に設けられ、運転者以外の乗員のＩＣカード４２ｂから利用者識別情報を受信する第２の受信手段５１ｂとを有している。なお、図７においては、運転者以外のＩＣカードを受信する受信手段５１として第２の受信手段５１ｂのみ記載されているが、第２の受信手段５１ｂは、複数設けられていてもよく車両の乗員制限人数に合わせて設けるのが好ましい。受信手段５１は、リーダ装置によって構成され、電子運転免許証４２ａおよびＩＣカード４２ｂに駆動電力を供給するよう電磁波を送信し、送信された電磁波によって駆動された電子運転免許証４２ａおよびＩＣカード４２ｂからは、利用者識別情報を読み取るようになっている。
【００６５】
記憶手段５２は、不揮発性の記憶媒体によって構成されており、予め利用者識別情報が複数記憶されている。記憶手段５２に記憶されている利用者識別情報は、車両に搭載されたタッチパネル付の液晶ディスプレイ装置等によって構成された登録削除手段６１を介して登録したり削除したりできるようになっている。
【００６６】
検知手段５４は、車両の事故等を検知するセンサや車両の乗員の緊急状態を知らせるため緊急ボタンによって構成されている。例えば、検知手段５４がエアバックが作動したことを検知するセンサである場合には、検知手段５４によってエアバックの作動が検知されると、送信手段５５に利用者識別情報を送信するよう送信手段５５にトリガを出力するようになっている。
【００６７】
送信手段５５は、送信データを生成して外部装置４４に送信するようになっており、送信データには、着座情報が得られた場合には利用者識別情報および着座情報が含まれ、着座情報と座席位置情報が得られた場合には利用者識別情報および座席位置情報が含まれる。
【００６８】
着座検知手段５９は、各座席の近傍に設けられ、各座席に座る乗員の着座の有無を検知するようになっている。着座検知手段５９から着座の有無を示す着座情報が送信手段５５に入力されるようになっている。
【００６９】
編集手段６０は、車両の座席位置と利用者識別情報との対応を表す座席位置情報を運転者もしくは利用者に編集させるようになっている。すなわち、編集手段６０は、図６に示すように、受信手段５１によって受信した利用者識別情報から対応する利用者の座席位置を特定し、着座検知手段５９によって検知された着座情報を対応させて、受信手段５１から利用者識別情報が受信されていない座席で、着座検知手段５９が着座を検知した座席が特定され、この座席に対応する利用者識別情報を入力させて座席位置情報を編集するようになっている。編集手段６０は、例えば、受信手段５１が受信した特許太郎および特許花子の利用者識別情報から運転席に特許太郎および助手席に特許花子が着座していることを特定し、着座検知手段５９が着座を検知しているが利用者識別情報が受信手段５１によって受信されていない"？"の座席に利用者識別情報を入力させて編集するようになっている。なお、図６に示す"空席"の部分は、着座検知手段５９が検知していない状態であることを示している。
【００７０】
外部装置４４は、送信手段５５によって送信された利用者識別情報を受信する利用者識別情報受信手段７１と、不揮発性の記憶媒体によって構成され、利用者識別情報および利用者識別情報に対応した個人情報を記憶する記憶手段７４と、送信手段５５によって送信された利用者識別情報に対応する個人情報を記憶手段７４から取得する個人情報取得手段７２と、個人情報取得手段７２によって取得された個人情報を通報する通報手段７３とを有している。ここで、個人情報は、図５に示すように、予め記憶された利用者識別情報に対応する個人情報によって構成され、救急救命の第１情報に役立つ情報、例えば氏名、住所、緊急連絡先、血液型、既住症、服薬歴、通院歴、座席位置等を含むよう構成されている。また、外部装置４４は、車載装置４３の登録削除手段６１を介して個人情報の登録削除情報を受信して記憶手段７４に記憶されている個人情報を更新する更新手段７５を有していてもよい。この場合、更新手段７５は、記憶手段７４に記憶されている個人情報の更新日付けを用いて最新の情報に更新してもよい。また個人情報は、救急救命に関わる情報とすることが望ましく、生体情報などを含むように構成してもよい。
【００７１】
以上のように構成された個人情報送信システムについて、図８を用いてその動作を説明する。また、第１の実施の形態と重複するので、車載装置側の処理は、送信手段５５によって送信される情報以外は同じであるので、その説明を省略する。したがって、以下の説明では外部装置側処理について説明する。
【００７２】
まず、図８に示すように、送信手段５５によって送信された利用者識別情報が利用者識別情報受信手段７１によって受信され（Ｓ２１）、個人情報取得手段７２によって記憶手段７４に記憶されている個人情報が取得され（Ｓ２２）、この個人情報が通報手段７３によって通報される（Ｓ２３）。
【００７３】
このような本発明の第２の実施の形態の個人情報送信システム４１は、ＩＣカードに予め記憶されたユーザ情報の応用範囲を広げ、緊急時に車両の全乗員の個人情報を第三者が得ることができる。
【００７４】
また、個人情報を外部装置４４で一括して管理しているので、個人情報の管理が容易にすることができる。
【００７５】
なお、個人情報取得手段７２は、記憶手段７４以外に外部のネットワークから個人情報を取得してもよく、この場合に記憶手段７４に記憶されている情報によって外部ネットワークから情報を検索したり、取得する許可を得ることが望ましく、さらに取得した情報を記憶手段７４に記憶することが望ましい。
【産業上の利用可能性】
【００７６】
以上のように、本発明にかかる個人情報送信システムは、ＩＣカードなどの記憶媒体に予め記憶されたユーザ情報の応用範囲を広げ、緊急時に車両の全乗員の個人情報を第三者が得ることができるという効果を有し、車両で使用する電子運転免許証等から個人情報を作成し、その個人情報を外部装置に送信する個人情報送信システム等として有用である。
【図面の簡単な説明】
【００７７】
【図１】本発明の第１の実施の形態における個人情報送信システムのブロック図
【図２】本発明の第１の実施の形態における個人情報送信システムの動作説明のためのフロー図
【図３】本発明の第１の実施の形態における個人情報送信システムの動作説明のためのフロー図
【図４】本発明の第１の実施の形態における個人情報送信システムの動作説明のためのフロー図
【図５】本発明の第１の実施の形態および第２の実施の形態における個人情報送信システムの個人情報の説明図
【図６】本発明の第１の実施の形態および第２の実施の形態における個人情報送信システムの座席位置情報の説明図
【図７】本発明の第２の実施の形態における個人情報送信システムのブロック図
【図８】本発明の第２の実施の形態における個人情報送信システムの外部装置の動作説明のためのフロー図
【図９】従来の個人情報送信システムのブロック図
【符号の説明】
【００７８】
１、４１  個人情報送信システム
２、４２  ＩＣカード
３、４３  車載装置
４、４４  外部装置
１１、５１  受信手段
１２、５２、７４  記憶手段
１３、７２  個人情報取得手段
１４、５４  検知手段
１５、５５  送信手段
１６、５６  認証手段
１７、５７  始動許可手段
１８、５８  報知手段
１９、５９  着座検知手段
２０、６０  編集手段
２１、６１  登録削除手段
３１  個人情報受信手段
３２、７３  通報手段
７１  利用者識別情報受信手段
７５  更新手段
【図１】
2005088853.tif 000003
【図２】
2005088853.tif 000004
【図３】
2005088853.tif 000005
【図４】
2005088853.tif 000006
【図５】
2005088853.tif 000007
【図６】
2005088853.tif 000008
【図７】
2005088853.tif 000009
【図８】
2005088853.tif 000010
【図９】
2005088853.tif 000011